(57)【要約】  【課題】  ヒンジと筐体との間に介設される支持部材の大きさを低減し、かつ、その筐体の撓みを防止すること。  【解決手段】  第１筐体３と、第２筐体２と、第１筐体３に同体に接合される支持部材１２と、回転軸９を中心に回転可能に第２筐体２を支持部材１２に支持するヒンジ１１と、所定の強度を備えている部品１４とを備えている。その部品１４は、第１筐体３の内部に同体に接合される。このとき、折り畳み式電子機器１は、第１筐体３が部品１４に接合していることにより第１筐体３が撓むことが防止され、第１筐体３に収納されている他の電子機器に支障きたすことを防止することができる。さらに、支持部材１２は、第１筐体３の撓みを防止するために回転軸９に垂直な方向Ａに長く配置する必要がなく、その方向Ａに短縮することができる。  【選択図】  図２
2006186153.tif 000002
【特許請求の範囲】
【請求項１】
第１筐体と、
第２筐体と、
前記第１筐体に同体に接合される支持部材と、
回転軸を中心に回転可能に前記第２筐体を前記支持部材に支持するヒンジと、
所定の強度を備える部品とを具備し、
前記部品は、前記第１筐体の内部に同体に接合される
折り畳み式電子機器。
【請求項２】
請求項１において、
前記第１筐体は、前記支持部材と前記部品とを挟んで前記支持部材と前記部品とを同体に接合する
折り畳み式電子機器。
【請求項３】
請求項１において、
前記支持部材と前記部品とを同体に接合する接合部材
を更に具備する折り畳み式電子機器。
【請求項４】
請求項１において、
前記支持部材は、前記部品との接合部分が前記ヒンジとの接合部分の反対側に配置される
折り畳み式電子機器。
【請求項５】
請求項１〜請求項３のいずれかにおいて、
前記部品は、スピーカから発生する音を処理するスピーカボックスである
折り畳み式電子機器。
【請求項６】
請求項１〜請求項３のいずれかにおいて、
前記部品は、本折り畳み式電子機器に電力を供給する電池である
折り畳み式電子機器。
【請求項７】
請求項１〜請求項６のいずれかにおいて、
前記第２筐体は、画像を表示する表示面を有する
折り畳み式電子機器。
【請求項８】
請求項１〜請求項７のいずれかにおいて、
前記支持部材の回転軸から遠い側に配置される電子部品
を更に具備する折り畳み式電子機器。
【請求項９】
請求項８において、
前記電子部品は、記録媒体に記載されている情報を読み出すリーダである
折り畳み式電子機器。
【請求項１０】
請求項８において、
前記電子部品は、本折り畳み式電子機器を周辺機器に情報伝達可能に接続するインターフェースである
折り畳み式電子機器。
【請求項１１】
請求項１〜請求項１０のいずれかにおいて、
本折り畳み式電子機器は、コンピュータプログラムを実行するパーソナルコンピュータである
折り畳み式電子機器。
【請求項１２】
請求項１〜請求項１０のいずれかにおいて、
本折り畳み式電子機器は、記録媒体に記録される映像を前記表示面に表示するプレーヤーである
折り畳み式電子機器。
【請求項１３】
請求項１〜請求項１０のいずれかにおいて、
本折り畳み式電子機器は、コンピューターゲーム用のコンピュータプログラムを実行するゲーム機である
折り畳み式電子機器。
【発明の詳細な説明】
【技術分野】
【０００１】
本発明は、折り畳み式電子機器に関し、特に、折り畳むことができる折り畳み式電子機器に関する。
【背景技術】
【０００２】
容易に携帯することができるように、折り畳んで小型化することができる折り畳み式電子機器が知られている。このような折り畳み式電子機器としては、ノートパソコン、ＤＶＤビデオプレーヤー、ゲーム機が例示される。このような折り畳み式電子機器は、軽量化や薄形化が進む一方で、ディスプレイユニットが大形化する傾向にある。このため、２つの筐体を開閉可能に支持するヒンジユニットは、ディスプレイ側筐体の自重により自然に開閉しない程度にトルクが大きい。このため、折り畳み式電子機器は、利用者により２つの筐体が開閉されるときに、その筐体のヒンジユニット周辺には大きなねじれ応力や曲げ応力がかかる。したがって、折り畳み式電子機器は、筐体に直接にヒンジを接合したときに、その応力によりその筐体の接合部分が破壊される恐れがある。
【０００３】
このため、折り畳み式電子機器は、筐体とヒンジとの間に支持部材が介設され、その筐体のヒンジとの接合部分が破壊されることが防止されている。その支持部材は、筐体に形成される材料より強度が大きい材料（たとえば、アルミニウムダイキャスト）から形成されている。その支持部材は、さらに、筐体の内部に回転軸に垂直な方向に長く配置されて、筐体が撓むことが防止されている。
【０００４】
折り畳み式電子機器は、ヒンジと筐体との間に介設される支持部材の大きさを低減することが望まれている。
【０００５】
特開２００３−８７３７８号公報には、ディスプレイユニットが受けるねじれ応力や曲げ応力を軽減するとともに、第１のアームと筐体との取合部や第２のアームとディスプレイユニットとの取合部にかかる回動時の負荷を軽減する移動体情報機器が開示されている。その移動体情報機器は、第１のユニットと、この第１のユニットとは分離された第２のユニットと、これら第１のユニットと第２のユニットとを相対的に回動可能に連結支持するヒンジユニットと、前記第１のユニットと前記第２のユニットの少なくともどちらか一方に設けられるスピーカとを備え、前記ヒンジユニットは、前記第１のユニットに固定された第１のアームと、前記第２のユニットに固定された第２のアームとを有し、第１のアームと第２のアームの少なくともどちらか一方に前記スピーカを固定するスピーカ取付部を設けたことを特徴としている。
【０００６】
特開２００２−８２７３９号公報には、コンパクトに収納できて、使用時には低音の音質が良いスピーカを備えるスピーカ付き電子機器が開示されている。そのスピーカ付き電子機器は、上ケースと下ケースをヒンジで回動可能に連結し、このヒンジを中心に上ケースと下ケースを回動させて閉じると、これら下ケースと上ケースとの間に挟まれて重なり合う中ケースを備える電子機器であって、前記ヒンジを中心に前記上ケースと前記下ケースを回動させて開くことに連動して、前記下ケース上で前記中ケースを傾斜動作させる動作部材を設け、前記ヒンジを中心に前記上ケースと前記下ケースを回動させて開いた状態で、前記動作部材により前記下ケース上で前記中ケースが傾斜動作させられて前記下ケースとの間に生じる空間がスピーカの共鳴空間となるようにスピーカおよび開口部を配置したことを特徴としている。
【０００７】
【特許文献１】特開２００３−８７３７８号公報
【特許文献２】特開２００２−８２７３９号公報
【発明の開示】
【発明が解決しようとする課題】
【０００８】
本発明の課題は、ヒンジと筐体との間に介設される支持部材の大きさを低減し、かつ、その筐体の撓みを防止する折り畳み式電子機器を提供することにある。
【課題を解決するための手段】
【０００９】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１０】
本発明による折り畳み式電子機器（１）は、第１筐体（３）と、第２筐体（２）と、第１筐体（３）に同体に接合される支持部材（１２）（１２′）（１２″）と、回転軸（９）を中心に回転可能に第２筐体（２）を支持部材（１２）（１２′）（１２″）に支持するヒンジ（１１）と、所定の強度を備えている部品（１４）（１４′）（１４″）とを備えている。その部品（１４）（１４′）（１４″）は、第１筐体（３）の内部に同体に接合される。このとき、折り畳み式電子機器（１）は、第１筐体（３）が部品（１４）（１４′）（１４″）に接合していることにより第１筐体（３）が撓むことが防止され、第１筐体（３）に収納されている他の電子機器に支障きたすことを防止することができる。さらに、支持部材（１２）（１２′）（１２″）は、第１筐体（３）の撓みを防止するために回転軸（９）に垂直な方向（Ａ）に長く配置する必要がなく、その方向（Ａ）に短縮することができる。
【００１１】
第１筐体（３）は、支持部材（１２）（１２′）（１２″）と部品（１４）（１４′）（１４″）とを挟んで支持部材（１２）（１２′）（１２″）と部品（１４）（１４′）（１４″）とを同体に接合することが好ましい。
【００１２】
本発明による折り畳み式電子機器（１）は、支持部材（１２）（１２′）（１２″）と部品（１４）（１４′）（１４″）とを同体に接合する接合部材を更に備えていることが好ましい。その接合部材としては、支持部材（１２）（１２′）（１２″）に形成されるネジ穴に締結されて部品（１４）（１４′）（１４″）に形成される突起（４１）を固定するボルト（４２）が例示される。
【００１３】
支持部材（１２）（１２′）（１２″）は、部品（１４）（１４′）（１４″）との接合部分（３４）（３４″）がヒンジ（１１）との接合部分（３５）の反対側に配置されることが好ましい。このとき、支持部材（１２）（１２′）（１２″）の部品（１４）（１４′）（１４″）との接合部分（３４）（３４″）は、第１筐体（３）に対して第２筐体（２）が回転するときに支持部材（１２）（１２′）（１２″）と部品（１４）（１４′）（１４″）とが外れない程度に、支持部材（１２）（１２′）（１２″）のヒンジ（１１）との接合部分（３５）から離れていることが好ましい。
【００１４】
部品（１４）（１４′）（１４″）は、スピーカから発生する音を処理するスピーカボックスであることが好ましい。そのスピーカボックスは、密閉式、バフレフ式に例示される様々な構造を有し、共鳴管の原理を使って低音を共鳴させること、スピーカの後方から出る音を遮断すること、スピーカの後方から出る音を利用して低音を高めること、不要な振動や反射音を低減することに利用される。または、部品（１４）（１４′）（１４″）は、本折り畳み式電子機器（１）に電力を供給する電池であることが好ましい。
【００１５】
第２筐体（２）は、画像を表示する表示面を有していることが好ましい。
【００１６】
本発明による折り畳み式電子機器（１）は、支持部材（１２）（１２′）（１２″）の回転軸（９）から遠い側に配置される電子部品（１５、１６）を更に備えていることが好ましい。すなわち、折り畳み式電子機器（１）は、支持部材（１２）（１２′）（１２″）の大きさが低減されて空いた空間に電子部品（１５、１６）を配置することが好ましい。
【００１７】
その電子部品（１５）は、記録媒体に記載されている情報を読み出すリーダであることが好ましい。そのリーダとしては、ＰＣカードスロット、フレキシブルディスクドライブ、ＤＶＤドライブが例示される。
【００１８】
その電子部品（１６）は、本折り畳み式電子機器（１）を周辺機器に情報伝達可能に接続するインターフェースであることが好ましい。このようなインターフェースとしては、ＵＳＢポートが例示される。
【００１９】
本発明による折り畳み式電子機器（１）は、コンピュータプログラムを実行するパーソナルコンピュータに適用されることが好ましい。本発明による折り畳み式電子機器（１）は、記録媒体に記録される映像を表示面に表示するプレーヤーに適用されることが好ましい。その記録媒体としては、ＤＶＤメディアが例示される。または、本発明による折り畳み式電子機器（１）は、コンピューターゲーム用のコンピュータプログラムを実行するゲーム機に適用されることが好ましい。
【発明の効果】
【００２０】
本発明による折り畳み式電子機器は、ヒンジと筐体との間に介設される支持部材の大きさを低減し、かつ、その筐体の撓みを防止することができる。
【発明を実施するための最良の形態】
【００２１】
図面を参照して、本発明による折り畳み式電子機器の実施の形態を記載する。その折り畳み式電子機器１は、図１に示されているように、ディスプレイ側筐体２とキーボード側筐体３とを備えている。ディスプレイ側筐体２は、樹脂から形成されている。その樹脂としては、ポリカーボネート樹脂（ＰＣ）、ポリカーボネート樹脂とアクリロニトリルブタジエンスチレン共重合体樹脂（ＡＢＳ）との混合物が例示される。ディスプレイ側筐体２は、ディスプレイ５を備えている。ディスプレイ５は、液晶パネルから形成され、１７インチの表示面を有している。その液晶パネルは、印加される電圧により偏光角度が変わる液晶を利用して、供給される電気信号が示す画像をその表示面に表示する。ディスプレイ側筐体２は、開口部が形成されている。ディスプレイ５は、ディスプレイ側筐体２の開口部と表示面とが重なるように、ディスプレイ側筐体２の内部に配置されている。
【００２２】
なお、ディスプレイ５は、ディスプレイ側筐体２に収納できる程度に薄型の他のディスプレイに置換することができる。そのディスプレイとしては、プラズマディスプレイが例示される。
【００２３】
キーボード側筐体３は、樹脂から形成されている。その樹脂としては、ポリカーボネート樹脂（ＰＣ）、ポリカーボネート樹脂とアクリロニトリルブタジエンスチレン共重合体樹脂との混合物が例示される。キーボード側筐体３は、キーボード６とタッチパッド７とスピーカ８−１〜８−２とを備えている。キーボード６は、複数の鍵がキーボード側筐体３の１つの面に並べられた装置であり、ユーザにより操作されて押下された鍵を識別する情報を出力する。タッチパッド７は、操作面を有し、その操作面のうちのユーザの指に接触される位置を出力する。タッチパッド７は、座標、表示面上の位置、または、その動きの情報の入力に用いられる。タッチパッド７は、キーボード側筐体３のキーボード６の鍵が並べられる面にその操作面が配置されるように、キーボード側筐体３に配置されている。
【００２４】
スピーカ８−１〜８−２は、それぞれ、供給される電気信号を音声に変換して出力する。スピーカ８−１は、回転軸９と平行な方向に関してキーボード側筐体３の一方の端に配置され、スピーカ８−２は、その方向に関してキーボード側筐体３の他方の端に配置されている。
【００２５】
折り畳み式電子機器１は、図２に示されているように、さらに、ヒンジ１１と支持部材１２とを備えている。支持部材１２は、ダイキャストにより鋳造される金属アルミニウムから形成され、キーボード側筐体３に固定されている。なお、支持部材１２は、金属アルミニウムと異なり、キーボード側筐体３を形成する材料より硬い他の材料から形成されることもできる。その材料としては、ダイキャストにより鋳造される金属亜鉛が例示される。ヒンジ１１は、支持部材１２に同体に接合され、回転軸９を中心に回転可能にディスプレイ側筐体２を支持している。すなわち、キーボード側筐体３のキーボード６が配置される面に平行な平面１７とディスプレイ側筐体２の表示面が配置される面に平行な平面１８とのなす角θは、０度から概ね１８０度まで変化することができる。このため、折り畳み式電子機器１は、キーボード側筐体３に対して回転軸９を中心にそのディスプレイ側筐体２が回転して、ディスプレイ側筐体２の表示面が配置される面とキーボード側筐体３のキーボード６が配置される面とが概ね重なるように折り畳まれて、小型化されることが可能である。
【００２６】
ヒンジ９のトルクは、角θがユーザにより所定の角度に動かされたときに、ディスプレイ側筐体２の重量により角θが変化しない程度に大きい。
【００２７】
スピーカ８−ｉ（ｉ＝１，２）は、スピーカボックス１４を備えている。スピーカボックス１４は、アクリロニトリルブタジエンスチレン共重合体樹脂に例示される樹脂から形成され、平面１７に平行で回転軸９に垂直な方向Ａに長い形状に形成されている。スピーカボックス１４は、所定の容量の空間が内部に形成されて共鳴管を形成している。スピーカボックス１４は、その共鳴管を用いて、スピーカ８−ｉから出力される音声（特に低音）を共鳴させて増幅させて出力する。このようなスピーカボックス１４は、一般に、所定の応力が印加されたときにある程度以上に撓まない程度に強度を備え、さらに、ある程度撓んでも音声を共鳴させて増幅させる機能に支障をきたさない。なお、スピーカボックス１４としては、低音を共鳴させること以外の機能に有する物を適用することもできる。その機能としては、スピーカの後方から出る音を遮断すること、スピーカの後方から出る音を利用して低音を高めること、不要な振動や反射音を低減することが例示される。
【００２８】
なお、スピーカボックス１４は、所定の強度を備え、かつ、所定の量だけ撓んでも機能に支障をきたさない他の電気的に機能する部品に置換することができる。その部品としては、折り畳み式電子機器１に電力を供給する電池が例示される。
【００２９】
支持部材１２は、図３に示されているように、筐体側部分３１と中央部分３２とヒンジ側部分３３とから形成されている。中央部分３２は、筐体側部分３１に一体に形成され、ヒンジ側部分３３に一体に形成されている。ヒンジ側部分３３は、取り付け面３５を有している。取り付け面３５は、平面１７に平行であり、キーボード側筐体３の上側部品２１に対向している。ヒンジ側部分３３は、取り付け面３５がヒンジ１１の表面の一部に密着して、図示されていないボルトを用いてヒンジ１１に同体に接合している。
【００３０】
筐体側部分３１は、支持部材１２を平面１７に正射影したときに、支持部材１２のうちのスピーカボックス１４に重なっている部分である。キーボード側筐体３は、上側部品２１と下側部品２２とから形成されている。上側部品２１は、図示されていないボルトにより下側部品２２に同体に接合されている。支持部材１２は、さらに、図示されていないボルトを用いて筐体側部分３１または中央部分３２がキーボード側筐体３の下側部品２２に同体に接合されて、キーボード側筐体３に固定されている。
【００３１】
筐体側部分３１は、取り付け面３４を有している。取り付け面３４は、平面１７に平行であり、キーボード側筐体３の上側部品２１に対向している。筐体側部分３１は、図２に示されているように、取り付け面３４がスピーカボックス１４の表面の一部に当接して、キーボード側筐体３の上側部品２１と下側部品２２とに挟まれてスピーカボックス１４に同体に接合している。なお、支持部材１２とスピーカボックス１４は、支持部材１２の取り付け面３４がスピーカボックス１４の表面に密着して接合されることもできる。このとき、支持部材１２とスピーカボックス１４は、支持部材１２の取り付け面３４がスピーカボックス１４の表面に当接するときより接合強度が大きく好ましい。
【００３２】
支持部材１２は、さらに、ディスプレイ側筐体２とキーボード側筐体３とが開閉されるときに支持部材１２とスピーカボックス１４との接合部分が外れるほどの応力がかからないように、取り付け面３４と取り付け面３５とが離されて設計されている。このとき、支持部材１２は、取り付け面３４が取り付け面３５の反対側に配置されることが好ましい。さらに、スピーカボックス１４の回転軸９から遠い側の端は、支持部材１２の回転軸９から遠い側の端より回転軸９から遠い側に配置されている。
【００３３】
折り畳み式電子機器１は、さらに、図２に示されているように、ＰＣカードスロット１５とＵＳＢポート１６とを備えている。ＰＣカードスロット１５とＵＳＢポート１６とは、支持部材１２の筐体側部分３１の方向Ａに隣り合う位置に配置されている。ＰＣカードスロット１５は、ＰＣカードを差し込む穴が形成され、その穴に指し込まれたＰＣカードを折り畳み式電子機器１に接続するインターフェースである。そのＰＣカードは、折り畳み式電子機器１に利用される周辺機器であり、カード型に形成されている。そのＰＣカードとしては、ロムカセット、拡張ボード、ハードディスク、メモリ、モデムが例示される。ＵＳＢポート１６は、折り畳み式電子機器１に周辺機器を接続するインターフェースである。その周辺機器としては、キーボードやマウスなどが例示される。
【００３４】
折り畳み式電子機器１は、さらに、図示されていないＣＰＵと記録装置とをディスプレイ側筐体２の内部またはキーボード側筐体３の内部に備えている。そのＣＰＵは、折り畳み式電子機器１にインストールされるコンピュータプログラムを実行して、その記録装置とディスプレイ５とキーボード６とタッチパッド７とスピーカ８−１〜８−２とを制御する。その記録装置は、折り畳み式電子機器１にインストールされるコンピュータプログラムを記録し、そのＣＰＵにより生成された情報を一次的に記録する。ディスプレイ５は、ＣＰＵにより生成された画像を表示面に表示する。キーボード５は、折り畳み式電子機器１のユーザにより操作され、押下された鍵を識別する情報をＣＰＵに出力する。タッチパッド７は、折り畳み式電子機器１のユーザにより操作され、その操作面のうちのユーザの指に接触される位置をＣＰＵに出力する。スピーカ８−１〜８−２は、それぞれ、ＣＰＵにより生成された電気信号を音声に変換して出力する。そのＣＰＵは、さらに、ＰＣカードスロット１５に接続される周辺機器とＵＳＢポート１６に接続される周辺機器とを制御する。
【００３５】
折り畳み式電子機器１は、ディスプレイ側筐体２とキーボード側筐体３とが開閉されるときに、キーボード側筐体３が上に凸に撓むように働く応力がキーボード側筐体３に印加される。スピーカボックス１４は、方向Ａに細長く大きい形状であり、かつ、硬質であることにより、
その応力を分散することができる。すなわち、折り畳み式電子機器１は、キーボード側筐体３がスピーカボックス１４に接合していることによりキーボード側筐体３が撓むことが防止され、キーボード側筐体３に収納されている電子機器に支障きたすことを防止することができる。スピーカボックス１４は、さらに、支持部材１２の方向Ａに突出している筐体側部分３１を上から押さえている。このため、支持部材１２は、開閉されるときに回転することが防止されて、好ましい。折り畳み式電子機器１は、さらに、キーボード側筐体３の撓みと独立に、キーボード側筐体３が破壊されない程度に支持部材１２の方向Ａの長さを短縮することができる。このため、折り畳み式電子機器１は、支持部材１２の方向Ａの長さが短縮された分だけ大きさが低減され重量を低減することができる。折り畳み式電子機器１は、支持部材１２の大きさが低減されて空いた空間に電子機器を配置することができる。折り畳み式電子機器１は、ディスプレイ側筐体２とキーボード側筐体３との内部に配置されていた電子機器をその空間に配置するときに、ディスプレイ側筐体２またはキーボード側筐体３を小型化することができる。折り畳み式電子機器１は、その空間に新規の機能を備える電子機器を配置することにより、さらに機能を追加して多機能化することができる。
【００３６】
折り畳み式電子機器１は、スピーカ８−１〜８−２のうちの一方だけを備えることもできる。このとき、折り畳み式電子機器１は、スピーカ８−１〜８−２の両方を備えるときより強度が小さくなるが、キーボード側筐体３の中に配置される電子機器に支障をきたさない程度に撓みが防止されるときに、スピーカ８−１〜８−２のうちの一方だけを備えることができる。なお、折り畳み式電子機器１は、スピーカ８−１〜８−２に置換して電池を備えるときに、キーボード側筐体３の両側にその電池を備えてもよいし、キーボード側筐体３の片側に電池を備えてもよい。
【００３７】
なお、折り畳み式電子機器１は、さらに、記録媒体に記録される映像を再生して表示するプレーヤーに適用することもできる。このようなプレーヤーとしては、ＤＶＤに記録される映像を表示面に表示するＤＶＤビデオプレーヤーが例示される。折り畳み式電子機器１は、さらに、記録媒体に記録されるコンピューターゲーム用のコンピュータプログラムを実行するゲーム機に適用することもできる。
【００３８】
本発明による折り畳み式電子機器の実施の他の形態は、既述の実施の形態における支持部材１２とスピーカボックス１４とが他の支持部材とスピーカボックスとに置換されている。そのスピーカボックス１４′は、図４に示されているように、表面に突起４１が形成されている。突起４１は、中央に穴が形成されている。その支持部材１２′は、その穴に連通する位置にネジ穴（図示されていない）が形成されている。このような折り畳み式電子機器は、さらに、ネジ４２を備えている。ネジ４２は、突起４１の穴を通って支持部材１２′のネジ穴に締結され、支持部材１２′とスピーカボックス１４′とを同体に接合している。
【００３９】
このような折り畳み式電子機器は、支持部材１２とスピーカボックス１４とをキーボード側筐体３により挟んで接合することより、強固に接合することができ、キーボード側筐体３をより撓まないようにすることができる。
【００４０】
なお、本発明による折り畳み式電子機器は、ネジ４２に置換して接着剤を用いて支持部材１２とスピーカボックス１４とを接合することもできる。本発明による折り畳み式電子機器は、さらに、支持部材１２とスピーカボックス１４との接触面にそれぞれほぞとほぞ穴とを形成し、そのほぞとほぞ穴とを組み合わせて支持部材１２とスピーカボックス１４とを接合することもできる。このような折り畳み式電子機器も、支持部材１２とスピーカボックス１４とをキーボード側筐体３により挟んで接合することより、強固に接合することができ、キーボード側筐体３をより撓まないようにすることができる。そのほぞとほぞ穴とは、他の形状の凸形状と凹形状とに置換することができる。その凸形状と凹形状としては、帯状に延びる突起と帯状に延びる溝とが例示される。
【００４１】
本発明による折り畳み式電子機器の実施のさらに他の形態は、既述の実施の形態における支持部材１２とスピーカボックス１４とが他の支持部材とスピーカボックスとに置換されている。その支持部材１２″は、図５に示されているように、支持部材１２″を平面１７に正射影したときに、支持部材１２″のうちのスピーカボックス１４″に重なっている筐体側部分３１″がスピーカボックス１４″の上側部品２１の側に配置されている。すなわち、筐体側部分３１″は、取り付け面３４″を有している。取り付け面３４″は、平面１７に平行であり、キーボード側筐体３の下側部品２２に対向している。筐体側部分３１″は、取り付け面３４″がスピーカボックス１４″の表面の一部に密着して、キーボード側筐体３の上側部品２１と下側部品２２とに挟まれてスピーカボックス１４″に同体に接合している。
【００４２】
このような折り畳み式電子機器１″は、既述の実施の形態における折り畳み式電子機器１と同様にして、キーボード側筐体３が撓むことが防止され、キーボード側筐体３に収納されている電子機器に支障きたすことを防止することができる。このような折り畳み式電子機器１″は、さらに、キーボード側筐体３の撓みと独立に、キーボード側筐体３が破壊されない程度に支持部材１２″の方向Ａの長さを短縮することができる。すなわち、本発明による折り畳み式電子機器は、支持部材１２とスピーカボックス１４との上下に関する配置に頓着しないで、方向Ａに平行な直線に正射影したときに支持部材１２とスピーカボックス１４とに重なりがあればキーボード側筐体３が撓むことを防止することができる。
【００４３】
なお、このような折り畳み式電子機器１″は、既述の実施の形態における支持部材１２′とスピーカボックス１４′と同様にして、支持部材１２″とスピーカボックス１４″とが直接に接合されることもできる。このとき、折り畳み式電子機器１″は、支持部材１２″とスピーカボックス１４と″をより強固に接合することができ、キーボード側筐体３をより撓まないようにすることができる。
【図面の簡単な説明】
【００４４】
【図１】図１は、本発明による折り畳み式電子機器の実施の形態を示す斜視図である。
【図２】図２は、本発明による折り畳み式電子機器の実施の形態を示す断面図である。
【図３】図３は、ダイキャスト部品とスピーカボックスとを示す斜視図である。
【図４】図４は、他のダイキャスト部品とスピーカボックスとを示す斜視図である。
【図５】図５は、本発明による折り畳み式電子機器の実施の他の形態を示す断面図である。
【符号の説明】
【００４５】
１  ：折り畳み式電子機器
２  ：ディスプレイ側筐体
３  ：キーボード側筐体
５  ：ディスプレイ
６  ：キーボード
７  ：タッチパッド
８−１〜８−２：スピーカ
９  ：回転軸
１１：ヒンジ
１２：支持部材
１４：スピーカボックス
１５：ＰＣカードスロット
１６：ＵＳＢポート
１７：平面
１８：平面
２１：上側部品
２２：下側部品
３１：筐体側部分 
３２：中央部分
３３：ヒンジ側部分
３４：取り付け面
３５：取り付け面
４１：突起
４２：ネジ
【図１】
2006186153.tif 000003
【図２】
2006186153.tif 000004
【図３】
2006186153.tif 000005
【図４】
2006186153.tif 000006
【図５】
2006186153.tif 000007